(57)【要約】【課題】本発明の目的は表示品質上問題がなく、かつ応答速度を改善した反強誘電性液晶パネルの駆動方法を提供することである。【解決手段】印加される電圧により光学的な第１と第２と第３の安定状態を有し、正極性の電圧値Ｖ１２以上の電圧を印加することにより前記第１の安定状態から前記第２の安定状態への移行が始まり、負極性の電圧値Ｖ１３以下の電圧を印加することにより前記第１の安定状態から前記第３の安定状態への移行が始まる３安定ヒステリシス特性を有する反強誘電性液晶パネルの駆動方法において、前記電圧値Ｖ１２，Ｖ１３よりも絶対値が小さな正極性の電圧＋Ｖｒｅと負極性の電圧−Ｖｒｅを液晶に印加する手段を備え、前記第１の安定状態の維持期間には前記正極性の電圧＋Ｖｒｅもしくは負極性の電圧−Ｖｒｅを液晶に印加するすることを特徴とする。【選択図】        図１
2005017971.tif 000002
【特許請求の範囲】
【請求項１】
上下の透明基板に狭持され、印加される電圧により光学的な第１と第２と第３の安定状態を有し、正極性の電圧値Ｖ１２以上の電圧を印加することにより前記第１の安定状態から前記第２の安定状態への移行が始まり、正極性の電圧値Ｖ２１以下の電圧を印加することにより前記第２の安定状態から前記第１の安定状態への移行が始まり、負極性の電圧値Ｖ１３以下の電圧を印加することにより前記第１の安定状態から前記第３の安定状態への移行が始まり、負極性の電圧値Ｖ３１以上の電圧を印加することにより前記第３の安定状態から前記第１の安定状態への移行が始まる、３安定ヒステリシス特性を有する反強誘電性液晶パネルの駆動方法において、前記電圧値Ｖ１２，Ｖ１３よりも絶対値が小さな正極性の電圧＋Ｖｒｅと負極性の電圧−Ｖｒｅを液晶に印加する手段を備え、前記第１の安定状態の維持期間には前記正極性の電圧＋Ｖｒｅもしくは負極性の電圧−Ｖｒｅを液晶に印加するすることを特徴とする反強誘電性液晶パネルの駆動方法。
【請求項２】
液晶の所望の表示状態に応じた電圧を印加する各フレーム期間内で液晶が前記第１の安定状態をとる時間と前記第２もしくは第３の安定状態をとる時間の比によって階調を表示し、前記第２の安定状態をとる時間と前記第１の安定状態をとる時間の比によって階調を表示するフレーム期間においては、前記Ｖ１２よりも絶対値が十分大きな正極性電圧を印加することによって液晶を前記第２の安定状態とし、前記負極性の電圧−Ｖｒｅを印加することによって液晶を前記第１の安定状態とし、前記第３の安定状態をとる時間と前記第１の安定状態をとる時間の比によって階調を表示するフレーム期間においては、前記Ｖ１３よりも絶対値が十分大きな負極性電圧を印加することによって液晶を前記第３の安定状態とし、前記正極性の電圧Ｖｒｅを印加することによって液晶を前記第１の安定状態とすることを特徴とする請求項１記載の反強誘電性液晶パネルの駆動方法。
【請求項３】
前記第２もしくは第３の安定状態を維持させる電圧は各フレーム期間の初めから連続して印加し、前記第１の安定状態を維持させる電圧は各フレーム期間の終わりにかけて連続して印加することを特徴とする請求項２記載の反強誘電性液晶パネルの駆動方法。
【請求項４】
液晶の所望の表示状態に応じた電圧を印加する各フレーム期間内で液晶が前記第１の安定状態をとる時間と前記第２もしくは第３の安定状態をとる時間の比によって階調を表示し、前記第２の安定状態をとる時間と前記第１の安定状態をとる時間の比によって階調を表示するフレーム期間においては、前記Ｖ１２よりも絶対値が十分大きな正極性電圧を印加することによって液晶を前記第２の安定状態とし、前記正極性の電圧＋Ｖｒｅを印加することによって液晶を前記第１の安定状態とし、前記第３の安定状態をとる時間と前記第１の安定状態をとる時間の比によって階調を表示するフレーム期間においては、前記Ｖ１３よりも絶対値が十分大きな負極性電圧を印加することによって液晶を前記第３の安定状態とし、前記負極性の電圧−Ｖｒｅを印加することによって液晶を前記第１の安定状態とすることを特徴とする請求項１記載の反強誘電性液晶パネルの駆動方法。
【請求項５】
前記第１の安定状態を維持させる電圧は各フレーム期間の初めから連続して印加し、前記第２もしくは第３の安定状態を維持させる電圧は各フレーム期間の終わりにかけて連続して印加することを特徴とする請求項４記載の反強誘電性液晶パネルの駆動方法。
【請求項６】
前記各フレーム期間毎に液晶に印加する電圧の極性を反転させることを特徴とする請求項５記載の反強誘電性液晶パネルの駆動方法。
【請求項７】
前記第１の安定状態で光の透過を遮り、前記第２及び第３の安定状態で光を透過させるよう反強誘電性液晶パネルを構成したことを特徴とする請求項１乃至６記載の反強誘電性液晶パネルの駆動方法。
【請求項８】
前記反強誘電性液晶パネルは１つのコモン電極と複数のセグメント電極を有する１行複数列ドットのスタティック駆動パネルであることを特徴とする請求項１乃至７記載の反強誘電性液晶パネルの駆動方法。
【請求項９】
液晶パネルにより３原色の光の透過を順次制御して表示を行うフィールドシーケンシャルカラー液晶装置に用いたことを特徴とする請求項１乃至８記載の反強誘電性液晶パネルの駆動方法。
【請求項１０】
印画紙に液晶シャッターを通した光を焼き付ける電子カメラに用いたことを特徴とする請求項１乃至９記載の反強誘電性液晶パネルの駆動方法。
【発明の詳細な説明】
【０００１】
【発明の属する技術分野】
本発明はヒステリシス特性を有する反強誘電性液晶パネルの駆動方法に関する。
【０００２】
【従来の技術】
従来ネマティック物質を用いたパネルの高時分割、高速応答化、視野角依存性の改善等、パネルの高品位化について様々な研究開発がなされてきた。この流れのブレークスルーはアクティブ素子を用いたアクティブ駆動と呼称されているが、各画素に二端子もしくは三端子のスイッチング素子（ＴＦＴ）を配設するモードが提案され、現在液晶ディスプレー用途における本流になっている。
【０００３】
この流れの対極をなすモードとして、ＳＴＮ駆動に代表されるパッシブ駆動技術があげられる。この技術の特徴としては、各画素に対してスイッチング素子を配設する必要はない、パネルの構成が非常に単純である、などの特徴を有し、ＴＦＴを用いたパネルが出現するまでの一時代を画した。
【０００４】
ただ、ネマティック物質はそれ自体の特徴として、累積応答を利用したものであり、たとえＴＦＴモードを用いたとしても、特に高速応答が要求されるモードに対しては、切れのある画像の提供は不得意の感は現在でも拭えないものがある。
【０００５】
反強誘電性液晶は１９８９年に発見された比較的新しい一群の物質であり、摘要されるモードとしてはパッシブ駆動のための物質に分類される。また液晶の分類上からは層構造を形成するスメクティック相に属す。ネマティック相とは異なり、自発分極を有することにその特徴を持つ。ただミクロな分子配向に起因する自発分極のあらわれ方は、強誘電性液晶とは全く異なり、電界０では自発分極はゼロ、十分高い電圧である±Ｖで始めてその飽和自発分極を示し、中間の電圧では中間の自発分極を示すという特徴を示す。（例えば非特許文献１、２参照）
【０００６】
これまで明らかになった反強誘電性液晶の分子配向および変形モードと電界印加時の電気的光学的な特徴とを以下にまとめる。
【０００７】
反強誘電性液晶の特徴としては、自由空間に置かれたバルク状態においては図１２に示すように、不斉炭素を有する分子構造に起因した二重螺旋構造を示すことがあげられる。この点螺旋構造が一本である強誘電性液晶とは明確に異なる。さらに螺旋構造を選択反射法と言う実験で精査すると反強誘電性液晶は強誘電性液晶と以下の構造で明確に区別されることが明らかになった。
【０００８】
まず電界０における分子配向についての差異が明らかにされている。反強誘電性液晶は前記した分子内の不斉炭素の影響でバルクでは螺旋構造を形成するが、この時の特長としては図１２で示すような、分子の対形成と分子対の配向方向の回転を伴った２重螺旋構造をとる。すなわち、まず隣接する２つの分子は互いに対を形成しながら空間的には１８０度の位相すなわち反平行の関係を保つと同時に、前記隣接分子対の配向方向は相対的にはある角度θをなす配置構造をとる。この単位ブロックを空間的に積み重ねていくと、やがてθが３６０度に達することになるが、このときに要する始点からの距離はピッチと呼称されている。この点で、螺旋構造を１種類しか有しない強誘電性液晶とは明確な差異を有することになる。またこのときに形成される層構造（Ｎ＝１，２，３，・・・）は図中に示したごとく、螺旋軸に直交する平面に平行で、各層はおのおの同一配向方向を示す一群の分子集団として形成される。各層は図示の如く奇数層と偶数層が交互に形成されている。二種類の螺旋軸の有無を検出する方法としては、波長を連続的に変化させながら光をセルに斜め入射させ、このときの選択反射光のプロフィールを測定する方法が知られている。
【０００９】
二種類の螺旋構造を有する反強誘電性液晶の場合、ピッチ長の半分の長さに対応したハーフピッチバンドと呼称される単一のピークのみが観察されることが報告される一方、一種類しか螺旋構造が存在しない強誘電性液晶の場合、フルピッチバンドとハーフピッチバンドに対応する２個のピークが観察されることが知られている。このことを利用すると、ピークの個数から反強誘電性材料か、強誘電液晶のそれかは明確に判定可能となる。
【００１０】
さて、この材料を極めて接近した二つの特殊な基板壁の間、すなわち基板上にラビングなどによる水平配向処理が施され、かつ螺旋構造の形成が抑止されるほど近接した基板壁の間（表面安定化セルと呼称される）に狭持された時の反強誘電性液晶および強誘電性液晶の分子配向について考えることにする。
【００１１】
図１３は表面安定化セル内における分子の安定化配置を図示した図であるが、バルクにおいて示された螺旋軸は、配向処理により、配向処理が施された方向と平行な方向に配向する。ただし狭ギャップ内での層内での分子配向は自由空間であるバルク内とは異なり、図１１中ＡもしくはＢで示された位置に限られる。またこの時発現する自発分極の向きに着目すると、Ａにおいては例えば下向き、ＢにおいてはＡの反対方向の上向きに発現する。この分子の安定配置の位置に関しては従来の強誘電性液晶の壁面安定化構造におけるそれと一致している。
【００１２】
ところが偶数層に隣接する奇数層の分子の配向について検討すると、強誘電性液晶と反強誘電性液晶は全くその様相を異にする。
【００１３】
図１４は印加電圧０Ｖの場合の反強誘電性液晶の層間の分子配向を示す図で、（ａ）が断面図、（ｂ）が下基板へ射影したときの図である。
まず印加電圧０Ｖの場合の反強誘電性液晶の層間の分子配向について記述すると、偶数層と奇数層内の分子配向に起因する自発分極は互いに反並行の向きに配列し、互いに自発分極の総和をキャンセルする向きで安定化する。またこの時の分子間の距離は百数十Å程度の間隔で互いに対をなし、可視光のオーダーと比較するとかなり小さいので、検出される光学軸方向は分子配向方向であるＡとＢの平均方向すなわち図１３に示した層法線方向ＯＺと一致することになる。
【００１４】
一方強誘電性液晶の場合自発分極が上向きの層の隣にどの向きの層がくるかは確率５０％で上向き下向きの両方の状態が許される。また光学軸を考慮するとその方向は、図１３に示したＯＡもしくはＯＢの方向に一致し、層法線ＯＺとは一致しないことが明らかにされている。
【００１５】
次に電界が図中、下向きに連続的に印加された時を考える。この場合図１４において上向きに図示された自発分極は電界と結合する時のエネルギーが下向きのほうが安定なので、上向きから連続的に下向きにその配向を変化させる。一方、安定位置すなわち図１３のＡの位置にあった下向き自発分極はこの場合、すでに分子は安定位置にあるので、変化はしないことになる。その結果分子は図１５（ａ）に示すように配列する。
【００１６】
これとは反対に電界が連続的に上向きに印加された時を考えると、今度はエネルギーが安定な位置は図１３に示したＢ方向に変化するため層内の下向きの自発分極は連続的に上向きへと変化する。その結果分子は図１５（ｂ）に示すように配列する。
【００１７】
この過程を印加電圧−誘起自発分極の測定を行うとさらに差異が明らかになる。この時の結果を図１６（ａ），（ｂ）に示す。
【００１８】
図１６（ａ）は反強誘電性液晶の、「誘起自発分極−印加電圧の関係」を示している。
反強誘電性液晶の電圧０Ｖにおける誘起自発分極は図から明らかなように０を示す。この状態から電圧を連続的に増加させると誘起自発分極は連続的に変化しながら飽和値２まで増加するが電圧＋Ｖｓｕｐで一旦飽和すると以後は電圧を増加させても変化はしない。この現象は下向きの自発分極が次第にその向きを変化させ全て上向きの配向に変化していく過程に対応している。
一方飽和電圧から電圧を減少させていくと自発分極はある正の電圧＋Ｖｓｄｏｗｎから減少しはじめ、電圧０Ｖでは示す自発分極の値は０になる。この状態は図１４の上向き自発分極と下向きの自発分極がキャンセルされている状態に相当する。さらに逆極性の電圧を印加すると前記過程の逆過程が生起し、電圧−Ｖｓｄｏｗｎから自発分極の値は変化しはじめ、電圧＋Ｖｓｕｐなる電圧で飽和する。この場合の誘起自発分極の値はグラフの第１および第３象限に主として出現することが分かる。
図１６（ａ）から明らかなように、反強誘電性液晶は印加電圧に対して３安定状態を示しており、そのうち１つの安定状態が印加電圧０の近傍に出現している。液晶パネルは直流電圧の印加で劣化してしまうという共通の特性があるが、反強誘電性液晶が示す安定状態が交流駆動を容易にしている。
図１６（ａ）から明らかなように、反強誘電性液晶は印加電圧に対して３つの安定状態を示しており、そのうち１つの安定状態が印加電圧０の近傍に、他の２つは印加電圧が±Ｖｓｕｐを越えたところに出現しており、その性質は原点に関して対称の形を示す。液晶パネルは直流電圧の印加で劣化してしまうという共通の特性があるが、＋Ｖの電圧を印加したときと−Ｖを印加したときとが、同一光学状態を示すということで、反強誘電性液晶の交流駆動が可能となり、強誘電性液晶の駆動と比較すると自然かつ容易になることがわかる。
【００１９】
図１６（ｂ）は強誘電性液晶の、「誘起自発分極−印加電圧の関係」を示している。
強誘電性液晶の場合、一旦自発分極を＋２まで飽和指せた後電圧を減少させると、電圧を０に設定しても、飽和自発分極の値はほとんど変化しない。この飽和自発分極の値をマイナス２まで変化させるためにはマイナス側にさらに電圧を減少させつづけなければならないことが分かっている。すなわち、強誘電性液晶の場合、電圧０Ｖで定義される誘起自発分極の値は反強誘電性液晶の場合の０ではなく、電圧上昇時に示す値と下降時に示す値すなわち、プラス２とマイナス２の二値であること、換言すれ電圧０Ｖで自発分極０の状態は得られないことを示している。この意味から双安定と呼称されるわけであるが、上で見たごとく、電圧で誘起される自発分極の値は第１象限から第４象限のすべてに渡っていることが反強誘電性液晶の場合と比較して分かる。
図１６（ｂ）から明らかなように、強誘電性液晶は印加電圧に対して２安定状態を示しており、該２つの安定状態が印加電圧に対して極性の異なる象限に出現している。このことが強誘電性液晶の交流駆動を非常に煩雑なものにしている。具体的には、強誘電性液晶パネルが前のフレームで表示していた表示状態を記憶しておき、各フレーム毎に前のフレームでの表示のため印加した電圧の逆特性の電圧を印加しないと交流化駆動が出来ないと言う問題を生じている。
【００２０】
図１７で示される印加電圧−透過光強度曲線を示す場合のセルの駆動方法について述べることにする。
図１７は典型的な反強誘電液晶パネルの「透過光強度−印加電圧」特性を示した図で、ここでは印加電圧が０の時光を遮り（すなわち黒となる）十分に電圧を印加された時光を透過させる（すなわち白となる）よう液晶パネルが構成されている。
【００２１】
図１７において、正極性の電圧値Ｖ１２以上の電圧を印加することにより反強誘電液晶パネルの第１の安定状態である黒状態から第２の安定状態である＋側の白状態への移行が始まり、印加電圧がＶｓに達した段階で白状態が飽和し、正極性の電圧値Ｖ２１以下の電圧を印加することにより前記第２の安定状態から前記第１の安定状態への移行が始まり、印加電圧が０になる前に第１の安定状態である黒状態に復帰する。また負極性の電圧値Ｖ１３以下の電圧を印加することにより前記第１の安定状態から前記第３の安定状態である−側の白状態への移行が始まり、印加電圧が−Ｖｓに達した段階で白状態が飽和し、負極性電圧値Ｖ３１以上の電圧を印加することにより前記第３の安定状態から前記第１の安定状態への移行が始まり、印加電圧が０になる前に第１の安定状態である黒状態に復帰する。すなわち３安定ヒステリシス特性を有している。
【００２２】
このような特性を持つ液晶をＰｕｌｓｅ  Ｗｉｄｔｈ  Ｍｏｄｕｒａｔｉｏｎ（以下ＰＷＭと略記する）法で駆動する場合を考える。この時必要となる印加電圧は０と±Ｖｓのみであり、階調はこの電圧を印加する時間幅で表す方法となる。もともと＋Ｖｓの電圧を十分長い間印加すると白状態が実現することは図１７よりあきらかであり、中間調を表そうとすれば電圧±Ｖｓの印加時間を、表そうとする階調数に割り振ればよいことになる。すなわち白を表示する時は該電圧の印加時間をフレーム時間長さに、黒を表示する時は該電圧の印加時間をゼロとし、中間調は白表示の時の時間を１とした時の小数点で表した時間幅で表せば可能となることがわかる。
【００２３】
図１８はこのようなＰＷＭ方式での従来のスタティック駆動波形を示した図である。
駆動電圧の交流化を指示する交流化信号ＦＲは各フレーム期間１２毎に極性を変え各フレーム毎に液晶への印加電圧の極性をを反転させている。
「印加電圧」は液晶の１つのドットに印加される電圧波形を示しており、液晶は＋Ｖもしくは−Ｖ電圧の印加で白状態となり、０電圧の印加で黒表示となるよう構成されている。図１８では各フレーム期間の初めから連続して＋Ｖもしくは−Ｖの電圧が印加されてその間白表示となり、各フレーム期間の終わりにかけて連続して０電圧が印加されてその間黒表示となる。白表示をとる時間と黒表示をとる時間の比によって階調が表示されている。
【００２４】
図１９はこのような駆動法をフィールドシーケンシャルカラー液晶装置に用いた駆動波形図の例で、ＦＲが交流化信号、印加電圧が液晶の１つのドットに印加される電圧波形、光源が当該タイミングで点灯している光源の色を示している。
【００２５】
図１９（ａ）において、光源は期間ｔＲ１では赤（Ｒ）、期間ｔＧ１では緑（Ｇ）、期間ｔＢ１では青（Ｂ）というように３原色の色を繰り返し周期的に発光している。液晶は印加電圧に従って該光源光の透過を制御するシャッターとして働いており、液晶を透過した光を積分的に認識することによりＲ，Ｇ，Ｂの光量に従った色を認識出来る。図１９（ａ）の波形例においては赤は明るい光が、緑は中間的な明るさの光が、青は暗い光が液晶を透過する印加電圧の組み合わせとなっている。ＦＲは交流化信号で光源がＲ，Ｇ，Ｂを出力し終わった毎に印加電圧の極性を変えて印加電圧を交流化し、液晶物質が直流電圧によって劣化するのを防いでいる。
【００２６】
図１９（ｂ）が（ａ）と異なるのは交流化信号ＦＲである。図１９（ｂ）においては光源の発色光が切り替わる毎に印加電圧の極性が切り替わるようＦＲ信号を設定している。
ＦＲ信号を図１９（ａ）のタイプにするか（ｂ）のタイプにするか、もしくはさらに別のタイプにするかは設計上の問題であった。
【００２７】
図２０は図１８，１９に示した従来駆動法を実現する駆動回路のブロック図及び各ブロックの構成を説明する図である。
【００２８】
図２０（ａ）は駆動回路のブロック図で、表示データが８ビットのパラレル信号に変換されてシフトレジスター１４に与えられる。該表示データはクロック信号ＸＣＫによってシフトレジスター１４内で伝送され、１行Ｎ列の反強誘電性液晶２０の１行分のデータがシフトレジスター１４内に整列した段階でラッチパルスＬＰによってデータラッチ１６に書き込まれる。アナログスイッチ１８はデータラッチ１６がラッチしたデータと交流化信号ＦＲに従って０，＋Ｖもしくは−Ｖの電圧を反強誘電性液晶２０のセグメント電極に印加する。反強誘電性液晶２０のコモン電極には０電圧が印加されている。
【００２９】
図２０（ｂ）はアナログスイッチ１８の一例を示した図で、３個のアナログスイッチ２２の入力に電圧＋Ｖ，０，−Ｖがそれぞれ印加され、出力は結合されて反強誘電性液晶２０のセグメント電極に接続されている。３個のアナログスイッチ２２は交流化信号ＦＲとラッチデータによって出力する電圧を選択する。アナログスイッチ１８には図２０（ｂ）の回路が反強誘電性液晶２０のドット数と等しい数用意されている。
【００３０】
図２０（ｃ）は図１９（ｂ）の３個のアナログスイッチ２２から出力される出力の真理値表である。ここでラッチデータのＨが液晶表示の白を、Ｌが黒を指示している。この真理値表に従ってアナログスイッチが電圧を出力すれば図１８，１９に示した駆動波形が得られる。
【００３１】
【非特許文献１】
Ａ．Ｄ．Ｌ．Ｃｈａｎｄａｎｉ  ｅｔ．  ａｌ．，  Ｊｐｎ．Ｊ．Ａｐｐｌ．Ｐｈｙｓ．，２８．Ｌ１２６５（１９８９）
【非特許文献２】
Ａ．Ｄ．Ｌ．Ｃｈａｎｄａｎｉ  ｅｔ．  ａｌ．，  Ｊｐｎ．Ｊ．Ａｐｐｌ．Ｐｈｙｓ．，２８．Ｌ１２６１（１９８９）
【００３２】
【発明が解決しようとする課題】
ところが上記のごとき駆動を行っても、パネルの製造条件の微妙なばらつき、駆動波形による予期しない直流分の印加、印加電圧の交流化不十分などの影響などを受け印加電圧−透過光強度曲線が所望の特性と比較した場合変化することが判明した。この時の状況を図２１の印加電圧−透過光強度曲線で説明する。
【００３３】
図２１は反強誘電性液晶パネルの製造ばらつきによって生じる「透過光強度−印加電圧」特性を示した図である。
図２１において、印加電圧を飽和電圧＋Ｖｓから減少させていくと、やがて透過光強度も減少しはじめるが、電圧が０になっても透過光強度は０にならず、透過光強度をゼロにするためにはさらにマイナス側へのさらなる電圧印加が必要となっている。マイナスの電圧を印加した時も同様に印加電圧をゼロに戻しても透過光強度が０にならない。このような液晶パネルがある確率で出現することがわかった。
この現象が印加電圧が＋側のみで出現する物、−側のみで出現する物、＋−双方で出現するものと様々であった。
【００３４】
このような状況を模式的に表したのが図２２である。
【００３５】
図２２（ａ）は＋電圧を印加した時の状態変化を表した図で、反強誘電性液晶パネルは印加電圧が正極性の電圧Ｖ１２を越えると透過光強度を増し、電圧Ｖｓを印加された段階で透過光強度が飽和する。その後印加電圧を減少させても飽和状態を維持するが、印加電圧がＶ２１以下になると透過光強度が減少し始める。さらに印加電圧を減少させていくと正常なパネルは正極性の電圧Ｖ２−１で透過光強度がほぼ０に達するが、製造ばらつき等によって負極性の電圧−（Ｖ２−２）に達しないと透過光強度が０に達しないものも現れる。このようなパネルは印加電圧が０の状態で図示したｔ＋に相当する光を透過してしまう。
【００３６】
図２２（ｂ）は−電圧を印加した時の状態変化を表した図で、反強誘電性液晶パネルは印加電圧が負極性の電圧Ｖ１３を越えると透過光強度を増し、負電圧−Ｖｓを印加された段階で透過光強度が飽和する。その後印加負電圧を減少させても飽和状態を維持するが、印加電圧がＶ３１以上になると透過光強度が減少し始める。さらに印加負電圧を減少させていくと正常なパネルは負極性の電圧−（Ｖ２−１）で透過光強度がほぼ０に達するが、製造ばらつき等によって正極性の電圧Ｖ２−２に達しないと透過光強度が０に達しないものも現れる。このようなパネルは印加電圧が０の状態で図示したｔ−に相当する光を透過してしまう。
【００３７】
図２３はこのような印加電圧０の状態で光を透過してしまうパネルを図１８に示した従来の方法で駆動した場合の透過光強度の変化を示した図である。
図２３において、「印加電圧」は図１８に示した波形と同じで、期間ｔ１では正極性で反強誘電性液晶パネルの透過光強度を十分飽和させる電圧＋Ｖが、期間ｔ２，ｔ４では０電圧が、期間ｔ３では負極性で反強誘電性液晶パネルの透過光強度を十分飽和させる電圧−Ｖが印加されている。このような電圧が印加された時の反強誘電性液晶パネルの透過光強度は期間ｔ１，ｔ３においてはほぼ１００％透過するが期間ｔ２，ｔ４においては０とはならず、期間ｔ２においては図２２（ａ）に示したｔ＋、期間ｔ４においては図２２（ｂ）に示したｔ−だけ光を透過してしまう。
【００３８】
このような反強誘電性液晶パネルは、黒表示をすべき時に十分黒くならない、階調表示した時所望の階調レベルが表示出来ないという問題を生じており表示品質上問題となっている。またこのようなパネルを不良として取り除くのは検査が困難であり、また製造歩留まりが低下してしまうという問題があった。
【００３９】
さらに別の問題として応答速度の問題がある。反強誘電性液晶は応答速度が速いということが最大の特徴であったが、温度が低下すると液晶材料の粘度が上昇し、応答時間が常温に比較して長くなるという現象がおこり、この応答時間の短縮化という課題解決が要求されてきた。
該応答速度は図２３に示すように、透過光強度を１００％にする方向に駆動する時は、立ち上がり時間ｔｒ１２、ｔｒ１３を電圧＋Ｖもしくは−Ｖを十分大きくすることにより比較的短時間にすることが可能であった。しかし透過光強度を０％にする方向に駆動する時は、立ち下がり時間ｔｆ２１、ｔｆ３１を短くすることは困難であった。
【００４０】
本発明の目的は前記した表示品質上の問題がなく、かつ応答速度を改善した反強誘電性液晶パネルのスタティック駆動方法を提供することである。
【００４１】
【課題を解決するための手段】
請求項１の本発明による反強誘電性液晶パネルの駆動方法は、上下の透明基板に狭持され、印加される電圧により光学的な第１と第２と第３の安定状態を有し、正極性の電圧値Ｖ１２以上の電圧を印加することにより前記第１の安定状態から前記第２の安定状態への移行が始まり、正極性の電圧値Ｖ２１以下の電圧を印加することにより前記第２の安定状態から前記第１の安定状態への移行が始まり、負極性の電圧値Ｖ１３以下の電圧を印加することにより前記第１の安定状態から前記第３の安定状態への移行が始まり、負極性の電圧値Ｖ３１以上の電圧を印加することにより前記第３の安定状態から前記第１の安定状態への移行が始まる、３安定ヒステリシス特性を有する反強誘電性液晶パネルの駆動方法において、前記電圧値Ｖ１２，Ｖ１３よりも絶対値が小さな正極性の電圧＋Ｖｒｅと負極性の電圧−Ｖｒｅを液晶に印加する手段を備え、前記第１の安定状態の維持期間には前記正極性の電圧＋Ｖｒｅもしくは負極性の電圧−Ｖｒｅを液晶に印加するすることを特徴とする。
【００４２】
請求項２の本発明による反強誘電性液晶パネルの駆動方法は、請求項１において、液晶の所望の表示状態に応じた電圧を印加する各フレーム期間内で液晶が前記第１の安定状態をとる時間と前記第２もしくは第３の安定状態をとる時間の比によって階調を表示し、前記第２の安定状態をとる時間と前記第１の安定状態をとる時間の比によって階調を表示するフレーム期間においては、前記Ｖ１２よりも絶対値が十分大きな正極性電圧を印加することによって液晶を前記第２の安定状態とし、前記負極性の電圧−Ｖｒｅを印加することによって液晶を前記第１の安定状態とし、前記第３の安定状態をとる時間と前記第１の安定状態をとる時間の比によって階調を表示するフレーム期間においては、前記Ｖ１３よりも絶対値が十分大きな負極性電圧を印加することによって液晶を前記第３の安定状態とし、前記正極性の電圧Ｖｒｅを印加することによって液晶を前記第１の安定状態とすることを特徴とする。
【００４３】
請求項３の本発明による反強誘電性液晶パネルの駆動方法は、請求項２において、前記第２もしくは第３の安定状態を維持させる電圧は各フレーム期間の初めから連続して印加し、前記第１の安定状態を維持させる電圧は各フレーム期間の終わりにかけて連続して印加することを特徴とする。
【００４４】
請求項４の本発明による反強誘電性液晶パネルの駆動方法は、請求項１において、液晶の所望の表示状態に応じた電圧を印加する各フレーム期間内で液晶が前記第１の安定状態をとる時間と前記第２もしくは第３の安定状態をとる時間の比によって階調を表示し、前記第２の安定状態をとる時間と前記第１の安定状態をとる時間の比によって階調を表示するフレーム期間においては、前記Ｖ１２よりも絶対値が十分大きな正極性電圧を印加することによって液晶を前記第２の安定状態とし、前記正極性の電圧＋Ｖｒｅを印加することによって液晶を前記第１の安定状態とし、前記第３の安定状態をとる時間と前記第１の安定状態をとる時間の比によって階調を表示するフレーム期間においては、前記Ｖ１３よりも絶対値が十分大きな負極性電圧を印加することによって液晶を前記第３の安定状態とし、前記負極性の電圧−Ｖｒｅを印加することによって液晶を前記第１の安定状態とすることを特徴とする。
【００４５】
請求項５の本発明による反強誘電性液晶パネルの駆動方法は、請求項４において、前記第１の安定状態を維持させる電圧は各フレーム期間の初めから連続して印加し、前記第２もしくは第３の安定状態を維持させる電圧は各フレーム期間の終わりにかけて連続して印加することを特徴とする。
【００４６】
請求項６の本発明による反強誘電性液晶パネルの駆動方法は、請求項５において、前記各フレーム期間毎に液晶に印加する電圧の極性を反転させることを特徴とする。
【００４７】
請求項７の本発明による反強誘電性液晶パネルの駆動方法は、請求項１乃至６において、前記第１の安定状態で光の透過を遮り、前記第２及び第３の安定状態で光を透過させるよう反強誘電性液晶パネルを構成したことを特徴とする。
【００４８】
請求項８の本発明による反強誘電性液晶パネルの駆動方法は、請求項１乃至７において、前記反強誘電性液晶パネルは１つのコモン電極と複数のセグメント電極を有する１行複数列ドットのスタティック駆動パネルであることを特徴とする。
【００４９】
請求項９の本発明による反強誘電性液晶パネルの駆動方法は、請求項１乃至８において、液晶パネルにより３原色の光の透過を順次制御して表示を行うフィールドシーケンシャルカラー液晶装置に用いたことを特徴とする。
【００５０】
請求項１０の本発明による反強誘電性液晶パネルの駆動方法は、請求項１乃至９において、印画紙に液晶シャッターを通した光を焼き付ける電子カメラに用いたことを特徴とする。
【００５１】
【発明の実施の形態】
以下図１〜図１１を用いて本発明を説明する。
【００５２】
【実施例】
図１（ａ）、（ｂ）は本発明による反強誘電性液晶パネルの駆動方法を説明する図で、図３は前提となる反強誘電性液晶パネルの、印加電圧−透過光強度特性である。ここで反強誘電性液晶パネルは第１の安定状態６０で光を遮り、第２及び第３の安定状態６２，６４で光を透過するよう構成している。光の透過状態をこの逆になるよう構成することも可能であり、どちらの構成にするかは設計上の問題である。
【００５３】
図３は図２２（ａ）と（ｂ）とを結合した図で、本発明で用いる反強誘電性液晶パネルの印加電圧−透過光強度特性を模式的に示している。
図３において、第１の安定状態６０にあった反強誘電性液晶パネルに電圧を印加し、印加電圧が正極性の電圧Ｖ１２を越えると透過光強度を増し、電圧＋Ｖｓを印加された段階で透過光強度が飽和して第２の安定状態６２となる。＋Ｖｓを越える電圧＋Ｖを印加しても飽和状態に変化はない。その後印加電圧を減少させてもしばらく第２の安定状態を維持するが、印加電圧がＶ２１以下になると透過光強度が減少し始める。さらに印加電圧を減少させていくと正常なパネルは正極性の電圧Ｖ２−２で透過光強度がほぼ０に達するが、製造ばらつき等によっては負極性の電圧−（Ｖ２−２）に達しないと透過光強度が０に達しないものも現れる。このように製造ばらつきによって第１の安定状態６０に達する迄の特性がばらつく状態を斜線部２６で表している。
【００５４】
次に、第１の安定状態６０にある反強誘電性液晶パネルに負極性の電圧を印加し、印加電圧が負極性の電圧Ｖ１３を越えると透過光強度を増し、電圧−Ｖｓを印加された段階で透過光強度が飽和して第３の安定状態６４となる。さらに大きな負電圧−Ｖを印加しても飽和状態に変化はない。その後印加電圧を減少させてもしばらく第３の安定状態６４を維持するが、印加電圧の絶対値がＶ３１以下になると透過光強度が減少し始める。さらに印加電圧の絶対値を減少させていくと正常なパネルは負極性の電圧−（Ｖ２−２）で透過光強度がほぼ０に達するが、製造ばらつき等によっては正極性の電圧Ｖ２−２に達しないと透過光強度が０に達しないものも現れる。このように製造ばらつき等によって第１の安定状態６０に達する迄の特性がばらつく状態を斜線部２８で表している。
【００５５】
本発明の駆動法は図４中の−（Ｖ２−２）とＶ１３の間の負極性の電圧−Ｖｒｅ、及びＶ２−２とＶ１２間の正極性の電圧Ｖｒｅに着目した。
【００５６】
反強誘電性液晶パネルを第２の安定状態６２から第１の安定状態６０に変化させる時、−（Ｖ２−２）よりも正極性寄りの電圧を印加すると透過光強度が０の第１の安定状態６０まで達することが出来ないパネルが出てしまう。またＶ１３よりも絶対値が大きい負極性電圧を印加すると第３の安定状態６４か第３の安定状態６４に達する途中の段階に達してしまう。−（Ｖ２−２）とＶ１３の間の負極性の電圧−Ｖｒｅを印加すれば反強誘電性液晶パネルの微妙な製造ばらつきに関わりなく第２の安定状態６２から第１の安定状態６０に変化させることが出来、かつ電圧−Ｖｒｅを印加している間第１の安定状態６０を維持することが出来るる。
【００５７】
同様に、反強誘電性液晶パネルを第３の安定状態６４から第１の安定状態６０に変化させる時、Ｖ２−２よりも負極性寄りの電圧を印加すると透過光強度が０の第１の安定状態６０まで達することが出来ないパネルが出てしまう。またＶ１２よりも大きい正極性電圧を印加すると第２の安定状態６２か第２の安定状態６２に達する途中の段階に達してしまう。Ｖ２−２とＶ１２の間の正極性の電圧＋Ｖｒｅを印加すれば反強誘電性液晶パネルの微妙な製造ばらつきに関わりなく第３の安定状態６４から第１の安定状態６０に変化させることが出来、かつ電圧＋Ｖｒｅを印加している間第１の安定状態６０を維持することが出来る。
【００５８】
なお図３の特性における各電圧の値は、三菱ガス化学社製のＧ１１０と呼称される材料を用い、駆動周波数０．１Ｈｚの三角波を用いたときの結果を示す。本願における第２及び第３の安定状態６２、６４に飽和する電圧は、それぞれ＋１５ボルト、−１５ボルト、第１の安定状態６０から第２の安定状態６２に移行を始める電圧Ｖ１２は＋１０ボルト程度、第１の安定状態６０から第３の安定状態６４に移行を始める電圧Ｖ１３は−１０ボルト程度、また電圧＋Ｖｒｅ，−Ｖｒｅはそれぞれ＋０．５ボルト、−０．５ボルト程度とするのが適当であるが、一般的に、反強誘電性液晶パネルを駆動する条件（例えば使用液晶材料や駆動周波数、駆動波形など）によってかなり変動する。適用する液晶材料、駆動周波数、駆動波形などによってこれらの値の組み合わせが場合場合で異なってくることは言うまでもない。
【００５９】
図１（ａ），（ｂ）は本発明の反強誘電性液晶パネルの駆動法を説明する波形図で、１行Ｎ列のパネルを駆動するためのスタティック駆動波形である。
本発明の駆動法は、第１の安定状態６０をとる期間には＋Ｖｒｅもしくは−Ｖｒｅの電圧を与え、、第２，３の安定状態６２，６４から第１の安定状態６０に移行する際には、駆動波形を工夫することにより該第２，３の安定状態６２，６４を維持していた電圧＋Ｖ，−Ｖとは逆極性で絶対値がＶｒｅの電圧が液晶に印加されるよう構成している。
【００６０】
図１（ａ），（ｂ）において、ＦＲは交流化信号、「印加電圧１，２」は本発明の駆動法によって反強誘電性液晶パネルの１つのドットに印加される電圧の波形、「液晶状態」は印加される電圧によって反強誘電性液晶パネルのドットがとる安定状態を示している。
【００６１】
交流化信号ＦＲはフレーム期間に液晶に印加する電圧の極性を指示する信号で、図１（ａ）の例では交流化信号がＨの時前記した正極性の電圧＋Ｖ及び負極性の電圧−Ｖｒｅを、Ｌの時前記した負極性の電圧−Ｖ及び正極性の電圧＋Ｖｒｅを液晶に印加し、図１（ｂ）の例では交流化信号がＨの時前記した正極性の電圧＋Ｖ及び正極性の電圧＋Ｖｒｅを、Ｌの時前記した負極性の電圧−Ｖ及び負極性の電圧−Ｖｒｅを液晶に印加するよう構成している。
【００６２】
図１（ａ）に示した駆動法においては、交流化信号ＦＲがＨである第Ｎフレームにおいては第２の安定状態６２をとる時間と第１の安定状態６０をとる時間の比によって階調を表示しており、液晶を第２の安定状態６２とするためには図３に示した正極性電圧＋Ｖを印加し、液晶を第１の安定状態６０とするためには図３に示した負極性の電圧−Ｖｒｅを印加している。
【００６３】
また、交流化信号ＦＲがＬである第Ｎ＋１フレームにおいては第３の安定状態６４をとる時間と第１の安定状態６０をとる時間の比によって階調を表示しており、液晶を第３の安定状態６４とするためには図３に示した負極性電圧−Ｖを印加し、液晶を第１の安定状態６０とするためには図３に示した正極性の電圧＋Ｖｒｅを印加している。
【００６４】
さらに、白状態である第２、３の安定状態６２、６４を維持させる電圧である電圧＋Ｖもしくは−Ｖを各フレーム期間の初めから連続して印加し、黒状態である第１の安定状態６０を維持させる電圧である電圧−Ｖｒｅもしくは＋Ｖｒｅを各フレーム期間の終わりにかけて連続して印加している。
【００６５】
駆動波形をこのように構成したことにより、第Ｎフレームにおいては電圧＋Ｖで維持されていた第２の安定状態６２から第１の安定状態６０に移行する際に電圧−Ｖｒｅが印加される。従って図３に示したように液晶の特性が製造ばらつき等で変動した場合でも十分黒レベルに復帰させることが出来ている。また電圧−Ｖｒｅは絶対値がＶ１３よりも小さいので黒レベルをそのまま維持出来る。
また第Ｎ＋１フレームにおいては電圧−Ｖで維持されていた第３の安定状態６４から第１の安定状態６０に移行する際に電圧＋Ｖｒｅが印加される。従って図３に示したように液晶の特性が製造ばらつき等で変動した場合でも十分黒レベルに復帰させることが出来ている。また電圧＋Ｖｒｅは絶対値がＶ１２よりも小さいので黒レベルをそのまま維持出来る。
【００６６】
また本発明による駆動法は応答速度の改善にも効果がある。印加電圧を０にすると液晶分子は、通常の緩和過程を経由しながら電圧０の配向状態へ向って行くが、実は電圧０での緩和過程が分子の応答特性において最も時間がかかる過程である。本発明の駆動方法では印加電圧０での緩和過程を取らず、第２、３の安定状態６２、６４から第１の安定状態６０に移行する際に印加する電圧がゼロではなく第２、３の安定状態６２、６４を維持していた電圧＋Ｖ，−Ｖの逆極性の電圧−Ｖｒｅ，＋Ｖｒｅを印加することによって初期の配向状態への復帰を促進している。従って低温における応答速度も顕著に改善出来ている。
【００６７】
図１（ｂ）に示した駆動法においては、交流化信号ＦＲがＨである第Ｎフレームにおいては第２の安定状態６２をとる時間と第１の安定状態６０をとる時間の比によって階調を表示しており、液晶を第１の安定状態６０とするためには図３に示した正極性の電圧＋Ｖｒｅを印加し、液晶を第２の安定状態６２とするためには図３に示した正極性電圧＋Ｖを印加している。
【００６８】
また、交流化信号ＦＲがＬである第Ｎ＋１フレームにおいては第３の安定状態６４をとる時間と第１の安定状態６０をとる時間の比によって階調を表示しており、液晶を第１の安定状態６０とするためには図３に示した負極性の電圧−Ｖｒｅを印加し、液晶を第３の安定状態６４とするためには図３に示した負極性電圧−Ｖを印加し、ている。
【００６９】
さらに、黒状態である第１の安定状態６０を維持させる電圧である電圧−Ｖｒｅもしくは＋Ｖｒｅをを各フレーム期間の初めから連続して印加し、白状態である第２、３の安定状態６２、６４を維持させる電圧である電圧＋Ｖもしくは−Ｖを各フレーム期間の終わりにかけて連続して印加している。
また交流化信号ＦＲは各フレーム毎に反転させている。
【００７０】
駆動波形をこのように構成したことにより、第Ｎフレームにおけ電圧＋Ｖで維持されていたる第２の安定状態６２から第Ｎ＋１フレームにおける第１の安定状態６０に移行する際に電圧−Ｖｒｅが印加される。これは交流化信号ＦＲを各フレーム毎に反転させている効果である。従って図３に示したように液晶の特性が製造ばらつき等で変動した場合でも十分黒レベルに復帰させることが出来ている。また電圧−Ｖｒｅは絶対値がＶ１３よりも小さいので黒レベルをそのまま維持出来る。
また第Ｎ＋１フレームにおける電圧−Ｖで維持されていた第３の安定状態６４から次の第Ｎ＋２フレームにおける第１の安定状態６０に移行する際には電圧＋Ｖｒｅが印加される。従って図３に示したように液晶の特性が製造ばらつき等で変動した場合でも十分黒レベルに復帰させることが出来ている。また電圧＋Ｖｒｅは絶対値がＶ１２よりも小さいので黒レベルをそのまま維持出来る。
この状況は第２、３の安定状態６２、６４を維持させる電圧である電圧＋Ｖもしくは−Ｖを各フレーム期間の終わりにかけて連続して印加し、かつ交流化信号ＦＲを各フレーム毎に反転させたため実現できている。
【００７１】
また第２、３の安定状態６２、６４から第１の安定状態６０に移行する際に印加する電圧がゼロではなく第２、３の安定状態６２、６４を維持していた電圧＋Ｖ，−Ｖの逆極性の電圧−Ｖｒｅ，＋Ｖｒｅを印加しているため液晶の応答速度を速くする効果も生じている。
【００７２】
図１（ａ），（ｂ）の駆動法は共に第１の安定状態６０を維持するに当たってゼロ電圧を印加するのではなく前記した電圧値Ｖ１２，Ｖ１３よりも絶対値が小さな正極性の電圧＋Ｖｒｅもしくは負極性の電圧−Ｖｒｅを液晶に印加することを特徴としており、その結果液晶パネルの製造バラツキ等によらず液晶を十分な黒レベルに戻せるという効果を生じている。
【００７３】
このような駆動法は反強誘電性液晶パネルが３安定ヒステリシス特性を持っているため可能となる。ＴＮモード、ＳＴＮモードの液晶の場合は印加した電圧の実効値に応答して光学的特性が変化してしまうため、第１の安定状態６０を維持している期間＋Ｖｒｅもしくは−Ｖｒｅのようなゼロでない電圧を印加しておくことは不可能である。
【００７４】
なお反強誘電性液晶パネルは応答速度が０．５ｍｓ程度と非常に高速である。従って階調表示する場合も液晶を透過する光は白もしくは黒となっている。本駆動法をとる反強誘電性液晶パネルを直視型の表示装置に用いた場合は人間の目がトータルの光量を積分して階調を認識し、銀塩フィルムに映像を焼き付ける際のシャッターとして用いた場合はフィルムの感光剤がトータル光量に応じて感光し階調を表示している。
【００７５】
図２は本発明の駆動法をフィールドシーケンシャルカラー液晶装置に用いた波形図の例で、ＦＲが交流化信号、「印加電圧１，２」が液晶の１つのドットに印加される電圧波形で、「印加電圧１」は図１（ａ）の駆動法を用いた場合の波形図、「印加電圧２」は図１（ｂ）の駆動法を用いた場合の波形図である。「光源」は当該タイミングで点灯している光源の色を示している。
【００７６】
フィールドシーケンシャルカラー液晶装置は周知のように、赤（Ｒ）、緑（Ｇ）、青（Ｂ）の色の光源を順次繰り返して発光させ、液晶パネルは該各色の表示情報に応じてシャッターとして働き、液晶パネルの透過光を人間の目やフィルムの感光剤が積分して色を認識するというカラー装置であるが、一般のカラー液晶装置のようにカラーフィルターを用いる必要がないので光効率が非常に良いという利点がある。反面３原色を時間軸に対し直列的に表示するので液晶装置は高速の応答速度を要求される。高速応答が特徴の反強誘電性液晶パネルはこの面でフィールドシーケンシャルカラー液晶装置に最適なパネルといえる。
【００７７】
図２において、光源は期間ｔＲ１では赤（Ｒ）、期間ｔＧ１では緑（Ｇ）、期間ｔＢ１では青（Ｂ）というように３原色の色を繰り返し周期的に発光して第１行目を表示している、以下同様に各行毎に３原色が順次発光して各行の表示を行っている。図１の１つのフレーム期間が図２の光源が１つの色を発色している期間に相当している。液晶パネルは各行毎に各色に応じた表示情報に従い光源光のシャッターとして働く。交流化信号は光源の発光色が切り替わる毎に極性を反転させる例を示している。
【００７８】
図２の波形例において、第１行目は赤は明るい光が、緑は中間的な明るさの光が、青は暗い光が液晶を透過する印加電圧の組み合わせとなっており、第２行目では３色共に最も明るい状態、すなわち白状態、第３行目では３色共に最も暗い状態、すなわち黒状態の印加電圧の組み合わせとなっている。
【００７９】
図２に示す信号で駆動することにより反強誘電性液晶パネルを用いた表示品質の劣化がなく応答速度の速いフィールドシーケンシャルカラー液晶装置を実現できる。
【００８０】
なお図２における「印加電圧１」の期間ｔＢ２から期間ｔＲ３への移行時を見ると明らかなように、電圧−Ｖで維持された第３の安定状態６４から第１の安定状態６０に移行する際に電圧＋Ｖｒｅではなく−Ｖｒｅが印加されてしまっている。このように図１（ａ）の駆動法においては、確率的には低いものの、全階調の内の全白階調が出現するとその次に表示するドットの黒レベルが十分に戻りきらない可能性が出るという問題がある。この問題は例えば２５６階調があった場合、その内の１つの全白階調のみ、もしくは全白階調及びそれに続く少数の階調を使わないことによって解消出来る。図１（ａ）の駆動法ではこのような問題がある反面、交流化信号の周期を自由に選べる、例えば３フレーム毎、６フレーム毎に反転させても問題がない、という利点がある。
【００８１】
なお図２の駆動波形を見ると、交流化信号によって印加電圧の極性を反転させているにもかかわらず表示内容によっては液晶に若干の直流電圧成分が印加されることが分かる。このような直流成分は非常に長期に考えると液晶の寿命に影響を与える可能性があるが、実用上は特に問題にはなっていない。
このような直流成分は図２に示した第Ｎ行目の表示データを２回、計６フレーム期間表示し、その間に交流化信号ＦＲを反転させれば完全に取り除くことが出来る。しかしそのような手法をとると表示に要する時間が２倍になってしまうという不利な点もある。このような手法を採用するか否かは設計上の問題である。
【００８２】
図４は印画紙に液晶シャッターを通した光を焼き付ける電子カメラを説明する図である。
【００８３】
図４（ａ）はその構成を説明する図で、３４が光源、３６がドライバーＩＣを含む１行Ｎ列の反強誘電性液晶モジュール、３８が印画紙である。
光源３４はＲ，Ｇ，Ｂの光を順次発光し、反強誘電性液晶モジュール３６はアナログシャッターとして機能して１行分の表示情報に従った光量の光を透過し、印画紙３８は該透過光によって感光される。印画紙３８は第Ｎ行目の赤、緑、青に対応した３フレーム期間の光が照射される毎に順次図示の方向に移動され、それに従って反強誘電性液晶モジュール３６は所定の行の画像情報に従ってシャッターとして働く。
【００８４】
図４（ｂ）は反強誘電性液晶パネルの断面図で、上透明基板４０、下透明基板４２上の図示の面にそれぞれ透明なＮ個のセグメント電極４４、１個のコモン電極４６が形成され、上透明基板４０と下透明基板４２とは封止剤４８で封止される。上透明基板４０，下透明基板４２，封止剤４８で囲まれた空間には反強誘電性液晶物質が狭持されている。一般に反強誘電性液晶パネルの場合該空間のギャップは２μｍ以下に設定される。
【００８５】
図４（Ｃ）は反強誘電性液晶モジュール３６の平面図で、セグメント電極４４にはＴＡＢ実装されたセグメントドライバーＩＣ５２が接続されている。
【００８６】
このような電子カメラに反強誘電性液晶パネルを用いると顕著な効果がある。現在はＴＮもしくはＳＴＮモードの液晶が用いられているが、１枚の印画紙に画像を書き込むのに４０秒程度の時間が掛かっている。高速ＴＮ，ＳＴＮモードの液晶の場合セルギャップを４μｍ程度にして応答速度が１２ｍｓ程度となるが、反強誘電性液晶パネルにおいては応答速度が０．５ｍｓ程度である。従って１枚の印画紙に画像を書き込む時間を理論的には１／２０以下にすることが出来るという顕著な効果を生むことが出来る。
【００８７】
図５は本発明の反強誘電性液晶パネルの駆動法を実現する駆動回路のブロック図及び各ブロックの構成を説明する概念図である。
図５（ａ）は図１の駆動法を実現する駆動回路のブロック図で、表示データが８ビットのパラレル信号に変換されてシフトレジスター１４に与えられている。該表示データはクロック信号ＸＣＫによってシフトレジスター１４内で伝送され、１行Ｎ列の反強誘電性液晶２０の１行分のデータがシフトレジスター１４内に整列した段階でラッチパルスＬＰによってデータラッチ１６に書き込まれる。アナログスイッチ１８はデータラッチ１６がラッチしたデータと交流化信号ＦＲに従って＋Ｖ、−Ｖ、＋Ｖｒｅ、−Ｖｒｅの電圧を選択的に出力し反強誘電性液晶２０のセグメント電極に印加する。反強誘電性液晶２０のコモン電極には０電圧が印加されている。
【００８８】
図５（ｂ）はアナログスイッチ１８の一例を示した図で、４個のアナログスイッチ３２の入力に電圧＋Ｖ，＋Ｖｒｅ，−Ｖｒｅ、−Ｖがそれぞれ印加され、出力は結合されて反強誘電性液晶２０のセグメント電極に接続されている。４個のアナログスイッチ３２は交流化信号ＦＲとラッチデータによって出力する電圧を選択する。図５（ａ）のアナログスイッチ１８には図５（ｂ）の回路が反強誘電性液晶２０のドット数と等しい数用意されている。
【００８９】
図５（ｃ）は図５（ｂ）の４個のアナログスイッチ３２から出力される出力の真理値表である。ここでラッチデータのＨが液晶表示の白を、Ｌが黒を指示している。（ｃ−１）が図１（ａ）の駆動波形を出力するための真理値表、（ｃ−２）が図１（ｂ）の駆動波形を出力するための真理値表である。この真理値表に従ってアナログスイッチが電圧を出力するよう構成すれば図１（ａ），（ｂ）に示した駆動波形が得られる。
【００９０】
図６は階調を表示するための表示データ転送法を説明する図で、ここでは１行４８０列の反強誘電性液晶パネルで２５６階調を表示する例を説明する。
【００９１】
図６（ａ）は図５（ａ）のデータラッチ１６に印加するラッチパルスＬＰとシフトレジスター１４に印加するデータ信号Ｄ０−Ｄ７の関係を示す図である。
期間ｔ１内でデータ信号Ｄ０−Ｄ７が図示していないクロック信号ＸＣＬによって４８０ビット分シフトレジスター１４に送られ、ラッチパルスＬ１によってシフトレジスター１４内に整列した表示データをデータラッチ１６に書き込む。ｔ２−ｔ２５６の期間でも同様の動作を繰り返す。すなわち１つのフレーム期間１２内で２５６回表示データを送っている。階調は２５６回送られたデータの内の黒を意味するＬが送られた回数と白を意味するＨが送られた回数の比によって表すことが出来る。階調数を増やす場合は１つのフレーム期間内で表示データを送る回数を増やせばよい。
なお図１（ａ）の駆動法では１フレーム期間に２５６回表示データを送る際に、白データはフレーム期間の初めから連続して送り、黒データはフレーム期間の終りにかけて連続して送る。図１（ｂ）の駆動法では黒データはフレーム期間の初めから連続して送り、白データはフレーム期間の終りにかけて連続して送る。
【００９２】
図６（ｂ）は図５（ａ）のデータラッチ１６に印加するラッチパルスＬＰとシフトレジスター１４に印加するデータ信号Ｄ０−Ｄ７、クロックパルスＸＣＬの関係を示す図である。
シフトレジスター１４は４８０ビットであり、データ信号はＤ０−Ｄ７の８ビットのパラレル信号であるので、ラッチパルスＬＰが出力される期間ｔ１内でクロックパルスは６０発出力されて４８０ビットのデータを送っている。
またシフトレジスターに２４０ビットのものを２個用い、それぞれに８ビットのデータ端子を設けて１行の前半と後半を受け持たせた場合はラッチパルスＬＰが出力される期間ｔ１内にクロックパルスを３０発出力すればよい。
【００９３】
図７、８は本発明の駆動法を具現化する駆動信号波形図、駆動回路のブロック図及び各ブロックの第１の実施例を説明する図である。ここで反強誘電性液晶パネルは図３に示した印加電圧−透過光強度特性を示すことを前提にしている。
【００９４】
図７は本発明の反強誘電性液晶パネルの駆動法を具現化する波形図の第１の実施例である。
図７の実施例においては、低い方から順にＶ０，Ｖ１，Ｖ２，Ｖ３の４レベルの電圧を駆動に用い、該各電圧レベルは、Ｖ２−Ｖ１＝＋Ｖｒｅ、Ｖ３−Ｖ２＝＋Ｖ，Ｖ０−Ｖ１＝−Ｖと設定してある。
図７の駆動法においては交流化信号ＦＲが各フレーム期間毎に反転し、コモン電極に与える電圧がＣＯＭとして図示したようにＦＲ信号と同極性でＶ２とＶ１のレベルを取り、セグメント電極に与える電圧がＳＥＧとして図示したように、ＦＲ信号がＨの時は各フレーム期間の初めから連続している白表示期間にはＶ３，各フレーム期間の終わりにかけて連続している黒表示期間にはＶ１，ＦＲ信号がＬの時は白表示期間にはＶ０，黒表示期間にはＶ２となっている。
【００９５】
反強誘電性液晶パネルの各ドットにはセグメント電極に印加される電圧ＳＥＧからコモン電極に印加される電圧ＣＯＭを減じた電圧が印加されるので、図１の「印加電圧」に相当する電圧は図７に示した「印加電圧１、ＳＥＧ−ＣＯＭ」となる。
図７に示した「印加電圧１、ＳＥＧ−ＣＯＭ」から明らかなように、ＳＥＧ電極、ＣＯＭ電極に図７のＳＥＧ、ＣＯＭで表した電圧波形を印加すれば、液晶に印加される電圧を図１の「印加電圧１」に示した電圧波形と等しくできる。
なお図１（ａ）の駆動法を具現化する際には交流化信号ＦＲの反転周期は自由に選び得る。
【００９６】
図８は本発明の反強誘電性液晶パネルの駆動法の第１の実施例を具現化する駆動回路のブロック図及び各ブロックの構成を説明する図である。
図８（ａ）は図７の駆動波形を具現化する駆動回路のブロック図で、図５（ａ）と同様に、表示データが８ビットのパラレル信号に変換されてシフトレジスター１４に与えられている。該表示データはクロック信号ＸＣＫによってシフトレジスター１４内で伝送され、１行Ｎ列の反強誘電性液晶２０の１行分のデータがシフトレジスター１４内に整列した段階でラッチパルスＬＰによってデータラッチ１６に書き込まれる。アナログスイッチ１８はデータラッチ１６がラッチしたデータと交流化信号ＦＲに従って、低い電圧から順にＶ０，Ｖ１，Ｖ２，Ｖ３の４レベルの電圧を選択的に反強誘電性液晶２０のセグメント電極に印加する。反強誘電性液晶２０のコモン電極には図７に示したＣＯＭ電圧が印加されている。一般にセグメントドライバーＩＣ５２にはこれらシフトレジスター１４，データラッチ１６，アナログスイッチ１８が集積されている。
【００９７】
図８（ａ）の構成はＳＴＮ用ドライバーＩＣとしては一般的な形態である。同様の構成を有したドライバーＩＣとしては、例えばＥｕｒｅｋａ社製ＳＴＮ用ドライバーＩＣのＥＫ７０１０ＣＧがある。該ドライバーＩＣはＶ３−Ｖ０の耐電圧も４０ボルトあるので、図７に示した＋Ｖ，−Ｖがそれぞれ＋１５Ｖ、−１５Ｖ程度の反強誘電性液晶パネルを駆動するのに十分である。
なお該ＥＫ７０１０ＣＧは２４０ビットドライバーなので、例えば４８０ビットの反強誘電性液晶パネルを駆動するためには、２個のＥＫ７０１０ＣＧを用い、それぞれに８ビットのデータ端子を設けて１行の前半と後半を受け持たせればよい。
【００９８】
なおコモン電極に印加する電圧ＣＯＭは電圧Ｖ２とＶ１とを２個のアナログスイッチで切り替えて出力することにより容易に作成出来る。
【００９９】
図８（ｂ）はアナログスイッチ１８の一例を示した図で、４個のアナログスイッチ５４の入力に電圧Ｖ０，Ｖ１，Ｖ２，Ｖ３がそれぞれ印加され、出力は結合されて反強誘電性液晶２０のセグメント電極に接続されている。４個のアナログスイッチ５４は交流化信号ＦＲとラッチデータとによって出力する電圧を選択する。図８（ａ）のアナログスイッチ１８には図８（ｂ）の回路が反強誘電性液晶２０の１行のドット数と等しい数用意されている。
【０１００】
図８（ｃ）は駆動用電源回路の例で、ここでは電源回路６０から供給された電圧Ｖ３，Ｖ０を３個の抵抗５６で分圧することによって電圧Ｖ２，Ｖ１を得ており、分圧回路で得られた電圧Ｖ２，Ｖ１はそれぞれソースフォロアー接続された２個のオペアンプ５８によって低インピーダンス化されている。
ここで得られた電圧Ｖ０，Ｖ１，Ｖ２，Ｖ３はそれぞれアナログスイッチ１８に入力される。ドライバーＩＣがＥｕｒｅｋａ社製ＳＴＮ用ドライバーＩＣ「ＥＫ７０１０ＣＧ」の場合は電圧Ｖ０，Ｖ１，Ｖ２，Ｖ３をそれぞれ入力端子Ｖ５，Ｖ１２，Ｖ４３，Ｖ０に接続する。
【０１０１】
図８（ｄ）は図８（ｂ）の４個のアナログスイッチ５４から出力される出力の真理値表である。ここでラッチデータのＨが液晶表示の白を、Ｌが黒を指示している。この真理値表に従ってアナログスイッチが所望の電圧を出力するよう構成すれば図７に示した駆動波形が得られる。
【０１０２】
このように図７の実施例の駆動法は一般的なＳＴＮ用ドライバーＩＣで実現することが出来、コスト上の利点がある。
【０１０３】
なお図７、８では図１（ａ）の駆動波形を具現化する例を示したが、ほぼ同様の構成で図１（ｂ）の駆動波形を具現化する事も可能である。
すなわち、ＣＯＭ電圧のＶ２とＶ１とを入れ替え、ＳＥＧ信号のＶ２とＶ１も入れ替え、かつ各フレーム期間の初めから連続して黒表示期間、すなわちＶ２もしくはＶ１を印加する期間とし、各フレーム期間の終わりにかけて連続して白表示期間、すなわちＶ３もしくはＶ０を印加する期間とすれば図１（ｂ）の駆動波形となる。図８（ｃ）の接続図においてはＶ１をアナログスイッチのＶ４３端子に、Ｖ２をアナログスイッチのＶ１２端子に接続し直せばよい。
【０１０４】
ここで１つ問題がある。
図９（ａ）はＥｕｒｅｋａ社製ＳＴＮ用ドライバーＩＣ、ＥＫ７０１０ＣＧのアナログスイッチの回路図で図９（ｂ）がその出力信号の真理値表である。
図８（ｂ）の４つのアナログスイッチ５４に相当するのが図９（ａ）のＰチャネルトランジスタ６２，６４，Ｎチャネルトランジスタ６６，６８で、Ｎチャネルトランジスタの基盤はＶｓｓに接続されているが、一般にＶｓｓはＩＣ内で用いる最も低い電圧なので、Ｖ５と一致していることが多い。
制御信号１〜４は図９（ａ）中の最高電圧と最低電圧、すなわちＶｓｓ−Ｖ０間の電圧をとるディジタル信号で、図９（ｂ）の真理値表に従ってトランジスタ６２，６４，６６，６８のどれか１つを導通させ指定の電圧を出力する。
問題はＥｕｒｅｋａ社製ＳＴＮ用ドライバーＩＣ、ＥＫ７０１０ＣＧの仕様中で、電圧レベルにＶ０＞Ｖ１２＞Ｖ４３＞Ｖ５、という条件が付いていることである。このような制約は高分割マトリクスＳＴＮ駆動においてはＶ０＞Ｖ１２、Ｖ４３＞Ｖ５でありかつＶ０，Ｖ１２がＶ４３，Ｖ５よりも十分に大きいため、付加しても実用上何ら問題のない条件として付けられたもので、必要条件ではないと思われる。
【０１０５】
図８（ｃ）の接続では、ＩＣのＶ１２端子に電圧Ｖ１を、ＩＣのＶ４３端子にＶ２を接続しているためＶ４３＞Ｖ１２の状態となっている。
しかし図９（ａ）の回路構成から考察すると本実施例の使用法で何ら問題はないものと思われる。すなわちＩＣのＶ１２端子に電圧Ｖ１を印加してもＰチャネルトランジスタ６４を導通させるタイミングで制御信号２の電圧はＶ０となっているためゲートソース間電圧は（Ｖ１−Ｖ０）で約１５ボルトとなり低インピーダンスで導通するに十分な電圧が確保されている。またＩＣのＶ４３端子に電圧Ｖ２を印加してもＮチャネルトランジスタ６６を導通させるタイミングで制御信号３の電圧はＶ３となっているためゲートソース間電圧は（Ｖ３−Ｖ２）でやはり約１５ボルトとなり低インピーダンスで導通するに十分な電圧が確保されている。Ｐチャネルトランジスタの基盤には最高電圧であるＶ３が、Ｎチャネルトランジスタの基盤には最低電圧であるＶｓｓが与えられているためリーク電流が生じる心配もない。
【０１０６】
このように第１の実施例によると、汎用のドライバーＩＣを使って本発明の駆動法が具現化し得るためコスト上の利点もある。
【０１０７】
なお図８の構成を図１（ｂ）の駆動波形を出すように変更した場合は、Ｖ１をアナログスイッチのＶ４３端子に、Ｖ２をアナログスイッチのＶ１２端子に接続しているためこのような問題はない。
【０１０８】
図１０，１１は本発明の駆動法を具現化する駆動信号波形図、駆動回路のブロック図及び各ブロックの第２の実施例を説明する図である。ここで反強誘電性液晶パネルはやはり図３に示した印加電圧−透過光強度特性を示すことを前提にしている。
【０１０９】
図１０は本発明の反強誘電性液晶パネルの駆動法を具現化する波形図の第２の実施例である。
図１０の実施例においては駆動回路の電源電圧を低く抑えるため、いわゆるプッシュプル型の駆動を行っている。
【０１１０】
図１０の実施例においては、低い方から順にＶ０，Ｖ１，Ｖ２，Ｖ３の４レベルの電圧を駆動に用い、該各電圧レベルは、Ｖ１−Ｖ０＝＋Ｖｒｅ、Ｖ２−Ｖ３＝−Ｖｒｅ，Ｖ２−Ｖ０＝＋Ｖ、Ｖ１−Ｖ３＝−Ｖと設定してある。
図１０の駆動法においては交流化信号ＦＲが各フレーム期間毎に反転し、コモン電極に与える電圧がＣＯＭとして図示したようにＦＲ信号と逆極性でＶ０とＶ３のレベルを取り、セグメント電極に与える電圧が、ＳＥＧとして図示したようにＦＲ信号がＨの時は各フレーム期間の初めから連続している黒表示期間にはＶ１，各フレーム期間の終わりにかけて連続している白表示期間にはＶ２，ＦＲ信号がＬの時は逆に黒表示期間にはＶ２，白表示期間にはＶ１となっている。
【０１１１】
反強誘電性液晶パネルの各ドットにはセグメント電極に印加される電圧ＳＥＧからコモン電極に印加される電圧ＣＯＭを減じた電圧が印加されるので、図１の「印加電圧２」に相当する電圧は図１０に示した「印加電圧２、ＳＥＧ−ＣＯＭ」となる。
図１０に示した「印加電圧２、ＳＥＧ−ＣＯＭ」から明らかなように、ＳＥＧ電極、ＣＯＭ電極に図１０のＳＥＧ、ＣＯＭで表した電圧波形を印加すれば、液晶に印加される電圧を図１の「印加電圧２」に示した電圧波形と等しくできる。
【０１１２】
図１１は本発明の反強誘電性液晶パネルの駆動法の第２の実施例を実現する駆動回路の部分ブロック図及び各ブロックの構成を説明する図で、全体ブロック図の構成及び機能は図８（ａ）と同一なので省略する。第２の実施例においても例えばＥｕｒｅｋａ社製ＳＴＮ用ドライバーＩＣ「ＥＫ７０１０ＣＧ」のような汎用ＳＴＮドライバーＩＣが使用出来る。
【０１１３】
第２の実施例においては図１１（ａ）に示すようにデータ信号Ｄ０〜Ｄ７が８個のイクスクルーシブオアゲイト７０を介してシフトレジスター１４に接続されている。イクスクルーシブオアゲイト７０の他方の入力には交流化信号ＦＲが接続されている。従って交流化信号ＦＲがＨの時データ信号Ｄ０〜Ｄ７は論理レベルのＨもしくはＬが反転されてシフトレジスター１４に入力され、交流化信号ＦＲがＬの時は反転されずにシフトレジスター１４に入力される。
【０１１４】
図１１（ｂ）は駆動用電源回路の例で、ここでは電源回路６０から供給された電圧Ｖ４，Ｖ０を４個の抵抗７４で分圧することによって電圧Ｖ３，Ｖ２，Ｖ１を得ており、分圧回路で得られた電圧Ｖ３，Ｖ２，Ｖ１はそれぞれソースフォロアー接続された３個のオペアンプ７６によって低インピーダンス化されている。ここで得られた電圧Ｖ０，Ｖ１，Ｖ２，Ｖ４はそれぞれアナログスイッチ１８に入力される。ドライバーＩＣがＥｕｒｅｋａ社製ＳＴＮ用ドライバーＩＣ「ＥＫ７０１０ＣＧ」の場合は電圧Ｖ０，Ｖ１，Ｖ２，Ｖ４をそれぞれ入力端子Ｖｓｓ，Ｖ５，Ｖ４３，Ｖ０に接続する。第２の実施例においてはＶ１２端子に接続された電圧は使用しないのでＶ０端子とＶ１２端子を共通接続している。
【０１１５】
電圧Ｖ４をアナログスイッチ１８のＶ０端子に印加しているのは電圧信号Ｖ２が接続されるトランジスタを確実に制御するためである。電圧信号Ｖ２が接続されるトランジスタは図９（ａ）に示したＮチャネルトランジスタ６６になるが、該トランジスタのゲートには導通するタイミングで入力端子Ｖ０に印加される電圧Ｖ４が印加される。従ってゲートソース間電圧ＶＧＳはＶＯ端子に印加される電圧Ｖ４とＶ４３端子に印加される電圧Ｖ２の差（Ｖ４−Ｖ２）となる。この電圧ＶＧＳが十分に大きく取ればＮチャネルトランジスタ６６の導通抵抗を十分小さくすることが出来る。ゲートソース間電圧ＶＧＳは液晶パネルの容量によって狙い値が変わるが、一般的には５ボルト取れば十分である。
アナログスイッチ１８の出力を制御する交流化信号用ＦＲ端子には本実施例ではＬレベル電圧を印加している。
【０１１６】
図１１（ｃ）はＣＯＭ信号を作成する回路の例で、２つのアナログスイッチ７４のそれぞれの入力に電圧信号Ｖ３，Ｖ０がそれぞれ接続され、２つのアナログスイッチ７４の出力は接続されてＣＯＭ信号となっている。アナログスイッチは交流化信号ＦＲによって制御され、ＦＲがＨの時Ｖ０を、Ｌの時Ｖ３を出力するよう構成している。
【０１１７】
このように構成したことによりアナログスイッチ１８から出力されるＳＥＧ信号は図１１（ｄ）に示した真理値表の値をとる。
すなわち図９（ｂ）に示したＥｕｒｅｋａ社製ＳＴＮ用ドライバーＩＣ「ＥＫ７０１０ＣＧ」の真理値表と対照すると明らかなように、ＦＲ入力端子にＬレベルが印加されている状態で、ラッチデータがＨの時は入力端子Ｖ５に印加されている電圧Ｖ１が、ラッチデータがＬの時は入力端子Ｖ４３に印加されている電圧Ｖ２が出力される。
この状態を図１１（ａ）、（ｄ）、図１０を参照して検証すると、交流化信号ＦＲがＨの時は表示データＤ０〜Ｄ７がイクスクルーシブオアゲイト７０によって反転されるため、ラッチデータは黒表示の時Ｈとなってアナログスイッチ１８の出力ＳＥＧ信号の電圧はＶ１となり、白表示の時ＬとなってＳＥＧ信号の電圧はＶ２となる。交流化信号ＦＲがＬの時表示データＤ０〜Ｄ７はイクスクルーシブオアゲイト７０によって反転されないため、ラッチデータは黒表示の時Ｌとなってアナログスイッチ１８の出力ＳＥＧ信号の電圧はＶ２となり、白表示の時ＨとなってＳＥＧ信号の電圧はＶ１となる。すなわち図１１の構成によれば図１０に示した本発明の第２の実施例の駆動法が汎用のドライバーＩＣを使って具現化し得る。
【０１１８】
このように表示データを交流化信号によって反転させるだけで液晶の交流駆動が実現できるのはスタティック駆動の特徴である。またアナログスイッチ１８側のＦＲ端子をここではＬのレベルに固定して用いたため図７，８で示した第１の実施例で生じた、セグメントドライバーＩＣの保証範囲から外れるという問題も解消出来ている。
【０１１９】
また第２の実施例の駆動法で用いている電圧値は注目に値する。すなわち電圧Ｖ２−Ｖ０＝＋Ｖは約１５ボルト取れば十分であり、電圧Ｖ４−Ｖ２は前記したように５ボルト取れば十分であるから、駆動系の電源電圧Ｖ４−Ｖ０は２０ボルト取れば十分である。この値は第１の実施例の約半分となっており、消費電力、システム構成の容易さという面で大きな効果がある。
【０１２０】
なお該ＥＫ７０１０ＣＧは２４０ビットドライバーなので、例えば４８０ビットの反強誘電性液晶パネルを駆動するためには、２個のＥＫ７０１０ＣＧを用い、それぞれに８ビットのデータ端子を設けて１行の前半と後半を受け持たせればよい。
【０１２１】
また図１０、１１では図１（ｂ）の駆動波形を具現化する例を示したが、ほぼ同様の構成で図１（ａ）の駆動波形を具現化する事も可能である。
すなわち、図１０においてＣＯＭ電圧を図１０と同極性で電圧Ｖ１、Ｖ２間の信号とし、ＳＥＧ信号を電圧Ｖ０，Ｖ３間の信号とし、かつ各フレーム期間の初めから連続して白表示期間、各フレーム期間の終わりにかけて連続して黒表示期間とすれば図１（ｂ）の駆動波形となる。図１１の接続図においては、（ｂ）のアナログスイッチ１８の入力端子Ｖ５に電圧Ｖ０を、入力端子Ｖ４３に電圧Ｖ３を印加し、（ｃ）のアナログスイッチ７８の入力を電圧Ｖ３，Ｖ０にかえてそれぞれ電圧Ｖ２，Ｖ１とすれば実現できる。
【０１２２】
【発明の効果】
以上述べたことから明らかなように、本発明の反強誘電性液晶パネルの駆動法によれば、光学的なコントラストの良い反強誘電性液晶パネルを歩留まり良く製造することが出来、また応答速度も改善することが出来効果が大きい。
【０１２３】
また、強誘電性液晶パネルは４象限にわたる２安定特性を示すため、印加電圧交流化に際し、直前の表示状態を記憶しておいて画素毎に該表示状態に応じた逆極性電圧を印加しなければならず、駆動回路が非常に煩雑になっていた。しかし反強誘電性液晶パネルは印加電圧０状態を含む３安定状態を示すため、フィールドシーケンシャルカラー液晶装置に用いた時も、駆動回路が簡素化出来、かつ交流化のための電圧印加時間が不要で高速化出来るという利点がある。
【０１２４】
さらに、反強誘電性液晶パネルを印画紙に液晶シャッターを通した光を焼き付ける電子カメラに用いると、従来のＴＮ，ＳＴＮモードの液晶パネルを用いた時よりも飛躍的に画像書き込み時間を短縮出来るという効果がある。
【０１２５】
また第１の実施例によると、汎用のドライバーＩＣを使って本発明の駆動法が具現化し得るためコスト上の利点がある。
【０１２６】
さらに、第２の実施例によれば駆動に用いる電源電圧の値を約半分とすることが出来、消費電力、システム構成の容易さという面で効果がある。
【図面の簡単な説明】
【図１】本発明の反強誘電性液晶パネルの駆動法を説明する波形図である。
【図２】本発明の反強誘電性液晶パネルの駆動法をフィールドシーケンシャルカラー液晶装置に用いた波形図の例である。
【図３】本発明で用いる反強誘電性液晶パネルの印加電圧−透過光強度特性を模式的に示した図である。
【図４】印画紙に液晶シャッターを通した光を焼き付ける電子カメラを説明する図である。
【図５】本発明の反強誘電性液晶パネルの駆動法を実現する駆動回路のブロック図及び各ブロックの構成の概念図である。
【図６】階調を表示するための表示データ転送法を説明する図である。
【図７】本発明の反強誘電性液晶パネルの駆動法を具現化する第１の実施例を説明する波形図である。
【図８】第１の実施例を具現化する駆動回路のブロック図及び各ブロックの構成を説明する図である。
【図９】本発明で用いるセグメントドライバーＩＣの内部回路及び機能を説明する図である。
【図１０】本発明の反強誘電性液晶パネルの駆動法を具現化する第２の実施例を説明する波形図である。
【図１１】第２の実施例を具現化する駆動回路のブロック図及び各ブロックの構成を説明する図である。
【図１２】自由空間に置かれた反強誘電性液晶のバルク状態における二重螺旋構造を示す図である。
【図１３】表面安定化セル内における分子の安定化配置を図示した図である。
【図１４】印加電圧０Ｖの場合の反強誘電性液晶の層間の分子配向を示す図である。
【図１５】電界が連続的に印加された時の反強誘電性液晶の分子配向を示す図である。
【図１６】反強誘電性液晶及び強誘電性液晶の「誘起自発分極−印加電圧の関係」を示してた図である。
【図１７】典型的な反強誘電液晶パネルの「透過光強度−印加電圧」特性を示した図である。
【図１８】ＰＷＭ方式での従来のスタティック駆動波形を示した図である。
【図１９】従来駆動法をフィールドシーケンシャルカラー液晶装置に用いた駆動波形図の例である。
【図２０】従来駆動法を実現する駆動回路のブロック図及び各ブロックの構成を説明する図である。
【図２１】反強誘電性液晶パネルの製造ばらつきによって生じる「透過光強度−印加電圧」特性を示した図である。
【図２２】反強誘電性液晶パネルの製造ばらつきによって生じる「透過光強度−印加電圧」特性を模式的に示した図である。
【図２３】印加電圧０の状態で光を透過してしまうパネルを従来の方法で駆動した場合の透過光強度の変化を示した図である。
【符号の説明】
１２  フレーム期間
１４  シフトレジスター
１６  データラッチ
１８  アナログスイッチ
２０  反強誘電性液晶
６０  第１の安定状態
６２    第２の安定状態
６４    第３の安定状態
４０  上透明基板
４２  下透明基板
４４  セグメント電極
４６  コモン電極
５２  セグメントドライバーＩＣ
【図１】
2005017971.tif 000003
【図２】
2005017971.tif 000004
【図３】
2005017971.tif 000005
【図４】
2005017971.tif 000006
【図５】
2005017971.tif 000007
【図６】
2005017971.tif 000008
【図７】
2005017971.tif 000009
【図８】
2005017971.tif 000010
【図９】
2005017971.tif 000011
【図１０】
2005017971.tif 000012
【図１１】
2005017971.tif 000013
【図１２】
2005017971.tif 000014
【図１３】
2005017971.tif 000015
【図１４】
2005017971.tif 000016
【図１５】
2005017971.tif 000017
【図１６】
2005017971.tif 000018
【図１７】
2005017971.tif 000019
【図１８】
2005017971.tif 000020
【図１９】
2005017971.tif 000021
【図２０】
2005017971.tif 000022
【図２１】
2005017971.tif 000023
【図２２】
2005017971.tif 000024
【図２３】
2005017971.tif 000025